(57)【要約】      （修正有）【課題】マイナス圧力構造を有するイヤホンを提供する。【解決手段】ハウジング１と、カバー２と、イヤーピース３と、フィルター４と、ダイナミックユニット５とから構成され、カバー２はハウジング１と組み合わせてなり、イヤーピース３はハウジング１の凸端７に被せて、凸端７の出口にフィルター４が設置され、ダイナミックユニット５はハウジング１中に設置され、ハウジング１中に密閉ハンガー８が設置されると共に、密閉ハンガーにダイナミックユニット５とマイナス圧力部品９が取り付けられ、マイナス圧力部品９は平面基材からなり、平面基材は金属フィルム、化学高分子フィルム、又は有機物フィルムの何れか１材質で製造される。【選択図】図２
0003175071.tif 000002
【実用新案登録請求の範囲】
【請求項１】
マイナス圧力構造を有するイヤホンであって、
ハウジング（１）と、カバー（２）と、イヤーピース（３）と、フィルター（４）と、ダイナミックユニット（５）とから構成され、
カバー（２）はハウジング（１）と組み合わせてなり、
イヤーピース（３）はハウジング（１）の凸端（７）に被せて、凸端（７）の出口にフィルター（４）が設置され、
ダイナミックユニット（５）はハウジング（１）中に設置され、
ハウジング（１）中に密閉ハンガー（８）が設置されると共に、密閉ハンガー（８）にダイナミックユニット（５）とマイナス圧力部品（９）が取り付けられていることを特徴とするマイナス圧力構造を有するイヤホン。
【請求項２】
請求項１において、
密閉ハンガー（８）には、マイナス圧力部品（９）が一つ以上取り付けられていることを特徴とするマイナス圧力構造を有するイヤホン。
【請求項３】
請求項１又は２において、
マイナス圧力部品（９）は平面基材（２８）からなり、平面基材（２８）は金属フィルム、化学高分子フィルム、又は有機物フィルムの何れか１材質で製造されることを特徴とするマイナス圧力構造を有するイヤホン。
【請求項４】
請求項３において、
平面基材（２８）の上下表面には、コンポジット（２６）、（２７）がそれぞれ設けられていることを特徴とするマイナス圧力構造を有するイヤホン。
【請求項５】
請求項４において、
コンポジット（２６）、（２７）は金属フィルム、化学高分子フィルム、又は有機物フィルムの何れか１材質で製造されることを特徴とするマイナス圧力構造を有するイヤホン。
【請求項６】
請求項３において、
平面基材（２８）の外側には、サラウンド（２５）が設置さていることを特徴とするマイナス圧力構造を有するイヤホン。
【請求項７】
請求項６において、
平面基材（２８）の最外側には、枠（２４）が設置されていることを特徴とするマイナス圧力構造を有するイヤホン。
【請求項８】
請求項４において、
コンポジット（２６）、（２７）の表面は、光沢面とし、飾りを施すことができることを特徴とするマイナス圧力構造を有するイヤホン。
【請求項９】
請求項６において、
サラウンド（２５）の表面は、光沢面とし、飾りを施すことができることを特徴とするマイナス圧力構造を有するイヤホン。
【考案の詳細な説明】
【技術分野】
【０００１】
本考案は、イヤホンの構造に係り、具体的には、マイナス圧力構造を有するイヤホンに関する。
【背景技術】
【０００２】
公知のイヤホンに使用されているダイナミックユニットの基本的な原理は、フレミングの左手法則により動作しているものである。従って、印加される電流の強弱の変化によって、振動板は振幅する。その振動板が振幅する際に、振動板裏面の空気の圧力で、スピードが速いである場合には、特に圧力に伴う気流が現れて、裏面から振動板に圧力が加わり、振動板が変形し、歪などの異常音が出てしまう。
【０００３】
公知のイヤホンの構造は、例えば、図５に示すように、ハウジング1、カバー2、イヤーピース3、フィルター4、ダイナミックユニット5で構成されており、イヤーピース3をハウジング1の凸端に被せて、その端の出口にフィルター4が形成されている。ダイナミックユニット5は、ハウジング1中に設置されて、カバー2はハウジング1上に組み合わせる。ハウジング1とカバー2の上に一つの孔、或いはそれ以上の孔10、11を開けている。ハウジング中に単独としてあるダイナミックユニット5が低音域を再生する場合、ある程度の中高音域が相対的に減衰してしまい、また高音域を再生する場合、ある程度の低音域が相対的に減衰してしまう。更に開口されている孔10、11の影響で、イヤホンにおける全帯域の音のバランスを容易に取る事が困難である。
【先行技術文献】
【特許文献】
【０００４】
【特許文献１】なし
【考案の概要】
【考案が解決しようとする課題】
【０００５】
そこで、本考案が解決しようとする課題は、非常にシンプルな構造を有することで、カバーに孔を開けずに低音域においてもよい効果を有すると共に、防水できるようしたマイナス圧力構造を有するイヤホンを提供することにある。
【課題を解決するための手段】
【０００６】
上記課題を解決するために、本考案のマイナス圧力構造を有するイヤホンは、ハウジング、カバー、イヤピース、フィルター、ダイナミックユニットで構成される。イヤーピースはハウジングの凸端部に被せて、その端の出口にフィルターを設置する。ダイナミックユニットはハウジング中に設置されて、カバーはハウジングと組み合わせて、ハウジング中に密閉ハンガーが設置されいる。ダイナミックユニットは密閉ハンガーに取り付けられて、密閉ハンガー上にマイナス圧力部品を設置し、マイナス圧力部品とダイナミックユニットは、密閉ハンガー上に取り付けられている。
【０００７】
耳に掛けて使用する時、ダイナミックユニットはハウジング中で動作し、速いスピードで振動板が振幅する場合は、空気の圧力が増加しても、このマイナス圧力の部品が、生じる圧力を相殺して、振動板の変形を無くすことができる。
【０００８】
密閉ハンガーには、一つ或いはそれ以上のマイナス圧力部品を設置することも可能であり、マイナス圧力部品は、イヤホンの構造によって、水平状態に或いは外側の方向に設置することも可能である。即ち、マイナス圧力部品は、イヤホンの構造によって、自由に設計することができる。
【０００９】
マイナス圧力部品は、一層或いはそれ以上の層のコンポジット、或いは色々な形に加工したり、異なる材質で複合して組み合わせることも可能である。材質は、平面基材を含み、金属フィルム、化学高分子フィルム、有機物フィルムなどで製造される。さらに、平面基材の上下表面にコンポジットが設置されている。そのコンポジットは金属フィルム、化学高分子フィルム、有機物フィルムで製造される。また、平面基材の外側にサラウンドが設置されている。さらに平面基材の一番外側に枠が設置されている。枠でマイナス圧力部品を密閉ハンガーの孔に組み立てて、固定することができる。
【考案の効果】
【００１０】
本考案のマイナス圧力構造を有するイヤホンは、マイナス圧力部品を有することにより、速いスピードの音声信号の印加によって発生する振動板の変形を抑えることができる。通常の電気信号は、非常に細かく速く振動しており、忠実に再生出来れば出来るほどよい音で聴く事が出来る訳で、特に低音域を再生する場合には、その忠実性の良否が強く現れて来るものであるが、本考案のマイナス圧力構造を有するイヤホンは、ハウジングの孔とカバーの孔を設置する必要性が無く、小さな容積に見えるのに、容積大きな低音域イヤホンに匹敵する低音域を再生することができ、更に水の中でも使用できる製品である。
【図面の簡単な説明】
【００１１】
【図１】本考案のマイナス圧力構造を有するイヤホンの立体構造図である。
【図２】図１の分解構造図である。
【図３】図１の断面構造図である。
【図４】本考案のマイナス圧力構造を有するイヤホンの分解図と気流構造図である。
【図５】公知のイヤホンの分解図と気流構造図である。
【図６】マイナス圧力部品の分解図である。
【考案を実施するための形態】
【００１２】
以下、本考案の実施形態を図に基づいて説明する。
【００１３】
本考案は、図１乃至図３に示すように、マイナス圧力の部品を有することを特徴としているイヤホンであり、ハウジング1、カバー2、イヤーピース3、フィルター4、ダイナミックユニット5で構成され、ダイナミックユニット5上に振動板6が設置され、イヤーピース3はハウジング1の凸端７に被せて、その端の出口にフィルター4が設置され、ダイナミックユニット5はハウジング1中に設置され、カバー2はハウジング1と組み合わせる。
【００１４】
ハウジング1中に密閉ハンガー8が設置され、ダイナミックユニット5は密閉ハンガー8に取り付けられ、また密閉ハンガー8上にマイナス圧力部品9を設置し、マイナス圧力部品9はダイナミックユニット5と水平に密閉ハンガー8の上に設置されている。密閉ハンガー8の上に二つの組立孔があって、ダイナミックユニット5とマイナス圧力部品9が密閉ハンガー8上に装置され、密閉ハンガー上に一つ或いはそれ以上のマイナス圧力部品を設置することができ、イヤホンの構造によって、水平状態、或いは外側の方向に設置することができる。
【００１５】
図４に示すように、マイナス圧力部品9が装置されたため、図５に示す圧力気流12は図4に示す圧力気流14に転換し、イヤホンを耳に装着する時に、圧力気流14はまずマイナス圧力部品9を動かし、直接振動板6に圧力が加わらないので、図５のように、振動板23が変形することも無くなり、装着する時も異常音が発生し無くなる。それにカバーに形成される孔開け10も必要が無くなる。このイヤホンを使う時、振動板6の動作で気流13が現れ、マイナス圧力部品9を動かし、逆気流15、16が発生し、カバーに孔が無い場合でも、一般的なイヤホンより、もっとよい低音域が再生できる。
【００１６】
図５は公知のイヤホンの構造図である。耳に装着する時に、耳の中でイヤホンは速いスピードの圧力気流12が発生し、直接振動板6に圧力が加わり、発生した逆気流18、19、21はまた振動板を動かし、反射気流22が発生し、逆気流18、19、21と反射気流22は回流し、回流が発生し、振動板23が変形し、耳に装着する時に異常音が出てしまう。この問題を解決する為に、公知のイヤホンの場合は、カバー上に孔を開け、イヤホンの気流を外に漏らすことにより、イヤホンの振動板の正常な動作が保持出来るが、孔を形成していることにより防水することができなかった。
【００１７】
図６のように、マイナス圧力部品9は平面基材28であって、平面基材28の上下表面にコンポジット26、27がある。平面基材28の外側にサラウンド25がある。平面基材28の一番外側に枠24がある。平面基材28、コンポジット26、27は金属フィルム、化学高分子フィルム、または有機物フィルムなどの材質で作られているのである。枠24は作業し易いために取り付けたものであり、無くても効能性には影響しない。サラウンド25、平面基材28、コンポジット26、27の形状は、イヤホン内部のスペースによって設計され、多様な変化にすることができる。
【符号の説明】
【００１８】
1：ハウジング
2：カバー
3：イヤーピース
4：フィルター
5：ダイナミックユニット
6：振動板
7：ハウジングの凸端
8：密閉ハンガー
9：マイナス圧力部品
10：穴開け
11：穴開け
12：圧力気流
13：気流
14：圧力気流
15、16：逆気流
17：ネット
18、19、21：逆気流
22：反射気流
23：（変形した）振動板
24：枠
25：サラウンド
26、27：コンポジット
28：平面基材
【図１】
0003175071.tif 000003
【図２】
0003175071.tif 000004
【図３】
0003175071.tif 000005
【図４】
0003175071.tif 000006
【図５】
0003175071.tif 000007
【図６】
0003175071.tif 000008